(57)【要約】【課題】  鍵構造の堅牢性が高く壊され難い保管庫、及び堅牢性が高く壊され難い鍵構造を提供することを課題とする。【解決手段】  外部に向けて開口する内部空間が形成された筐体と、該筐体に対して該開口を開閉可能に設けられた扉との施錠を行うための鍵構造であって、前記筐体内に取り付けられる筐体側係合部と、前記扉に取り付けられる扉側係合部とを有し、前記筐体側係合部と該扉側係合部とは、多角柱状であり且つ折曲形成により形成された折曲角部を角部に含むように構成されるとともに、互いの外面が係合した係合状態と該係合状態が解除された非係合状態とに切替可能である鍵構造及び該鍵構造を備える保管庫。【選択図】図１８
2018105090.tif 000002
【特許請求の範囲】
【請求項１】
外部に向けて開口する内部空間が形成された筐体と、該筐体の開口を開閉する扉と、前記筐体の開口を閉じた状態の該扉を施錠するための鍵構造とを備え、該鍵構造は、前記筐体内に取り付けられる筐体側係合部と、前記扉に取り付けられる扉側係合部とを有し、前記筐体側係合部と該扉側係合部とは、多角柱状であり且つ折曲形成により形成された折曲角部を角部に含むように構成されるとともに、互いの外面が係合した係合状態と該係合状態が解除された非係合状態とに切替可能である保管庫。
【請求項２】
前記筐体側係合部は、前記係合状態において前記扉側係合部に係合する筐体側当接部と、該筐体側当接部に設けられ且つ前記折曲角部を含む筐体側折曲補強部とを有し、前記扉側係合部は、前記係合状態において前記筐体側係合部に係合する扉側当接部と、該扉側当接部に設けられ且つ前記折曲角部を含む扉側折曲補強部とを有し、前記筐体側当接部と前記扉側当接部とは、前記係合状態において互いに当接し、前記筐体側折曲補強部の前記折曲角部は、前記筐体側当接部の前記扉側当接部に対する当接方向において、前記筐体側当接部の後方に配置され、前記扉側折曲補強部の前記折曲角部は、前記扉側当接部の前記筐体側当接部に対する当接方向において、前記扉側当接部の後方に配置される請求項１に記載の保管庫。
【請求項３】
前記筐体側係合部は、前記筐体に固定され、前記扉側係合部は、前記筐体側係合部に対して相対移動可能となるように前記扉に設けられ、前記筐体側係合部は、前記筐体内に固定された筐体側固定板部に設けられ、前記折曲角部は、該筐体側固定板部から面方向に延設された延設部が折り曲げられることで構成されている請求項１又は請求項２に記載の保管庫。
【請求項４】
前記筐体側係合部では、前記折曲角部を含む筐体側折曲補強部の先端部によって、前記扉側係合部に係合する筐体側当接部が構成される請求項２又は請求項３に記載の保管庫。
【請求項５】
前記扉側係合部は、前記筐体側係合部に係合する方向に向けて開放した開口が構成されるように折曲形成された扉側折曲補強部と、該開口を塞ぐようにして該扉側折曲補強部に設けられた扉側当接部であって、前記筐体側係合部に係合する扉側当接部とを備える請求項１乃至請求項４の何れか１項に記載の保管庫。
【請求項６】
前記扉側当接部は、前記係合状態において前記筐体側係合部に対向する係合面を有し、該係合面は、前記扉側係合部の軸線方向及び前記筐体側係合部との係合方向のそれぞれに直交する方向において、基端部側から先端部側になるにつれて前記筐体側係合部に接近するように傾斜している請求項５に記載の保管庫。
【請求項７】
外部に向けて開口する内部空間が形成された筐体と、該筐体に対して該開口を開閉可能に設けられた扉との施錠を行うための鍵構造であって、前記筐体内に取り付けられる筐体側係合部と、前記扉に取り付けられる扉側係合部とを有し、前記筐体側係合部と該扉側係合部とは、多角柱状であり且つ折曲形成により形成された折曲角部を角部に含むように構成されるとともに、互いの外面が係合した係合状態と該係合状態が解除された非係合状態とに切替可能である鍵構造。
【発明の詳細な説明】
【技術分野】
【０００１】
本発明は、貴重品や設備機器等の物品を収蔵する保管庫及び鍵構造に関する。
【背景技術】
【０００２】
従来から、自動精算機や金庫、金庫室等のような、物品を安全に収蔵することが求められる保管庫が提供されており、かかる保管庫には、収蔵している物品の盗難を防止するための様々な工夫が施されている。
【０００３】
例えば、特許文献１に開示されている保管庫（自動販売機）は、前面に開口が形成された本体キャビネットと、該本体キャビネットの開口を開閉するための外扉であって、本体キャビネットに対して開閉自在に取り付けられた外扉と、閉じた状態の外扉を施錠するための施錠構造とを備えている。
【０００４】
施錠構造は、外扉に対して上下にスライド可能に設けられた鉤型の係合爪と、本体キャビネットに形成されたスリットであって、外扉を閉じた際に該係合爪が挿入されるスリットとで構成されている。
【０００５】
そのため、前記保管庫では、外扉を閉じて係合爪をスリットに挿通した後に係合爪をスライドさせると、係合爪が本体キャビネットに引っ掛かり、これにより、外扉が施錠されるとされている。
【先行技術文献】
【特許文献】
【０００６】
【特許文献１】特開２００８−３３７１９号公報
【発明の概要】
【発明が解決しようとする課題】
【０００７】
ところで、保管庫の施錠構造は、細い隙間であるスリットに挿通した係合爪を本体キャビネットに引っ掛けるように構成されているため、係合爪が平板状に形成されている。
【０００８】
そのため、上述の保管庫では、係合爪に十分な強度を持たせ難く、例えば、バール等を用いて本体キャビネットから引き剥がすようにして外扉がこじられると、外扉と本体キャビネットを繋ぎ止める係合爪が破断して外扉が開かれてしまうことがあった。
【０００９】
従って、上述の保管庫には、施錠構造の強度を高めて外扉が無理やり開かれないようにすることが望まれている。
【００１０】
そこで、本発明は、鍵構造の堅牢性が高く壊され難い保管庫、及び堅牢性が高く壊され難い鍵構造を提供することを課題とする。
【課題を解決するための手段】
【００１１】
本発明の保管庫は、外部に向けて開口する内部空間が形成された筐体と、該筐体の開口を開閉する扉と、前記筐体の開口を閉じた状態の該扉を施錠するための鍵構造とを備え、該鍵構造は、前記筐体内に取り付けられる筐体側係合部と、前記扉に取り付けられる扉側係合部とを有し、前記筐体側係合部と該扉側係合部とは、多角柱状であり且つ折曲形成により形成された折曲角部を角部に含むように構成されるとともに、互いの外面が係合した係合状態と該係合状態が解除された非係合状態とに切替可能である。
【００１２】
上記構成の保管庫によれば、扉の開き動作をロックする筐体側係合部と扉側係合部のそれぞれは、多角柱状体であり且つこの多角柱状体には折曲形成により形成された折曲角部が含まれるように構成されているため、多角柱状体の軸線方向に直交又は略直交する方向に変形し難くなっている。
【００１３】
従って、前記保管部では、施錠されている扉を筐体から引き剥がそうとしても、互いに係合している筐体側係合部と扉側係合部とが変形せず、扉が開かないようになっている。
【００１４】
本発明の保管庫において、前記筐体側係合部は、前記係合状態において前記扉側係合部に係合する筐体側当接部と、該筐体側当接部に設けられ且つ前記折曲角部を含む筐体側折曲補強部とを有し、前記扉側係合部は、前記係合状態において前記筐体側係合部に係合する扉側当接部と、該扉側当接部に設けられ且つ前記折曲角部を含む扉側折曲補強部とを有し、前記筐体側当接部と前記扉側当接部とは、前記係合状態において互いに当接し、前記筐体側折曲補強部の前記折曲角部は、前記筐体側当接部の前記扉側当接部に対する当接方向において、前記筐体側当接部の後方に配置され、前記扉側折曲補強部の前記折曲角部は、前記扉側当接部の前記筐体側当接部に対する当接方向において、前記扉側当接部の後方に配置されていてもよい。
【００１５】
かかる構成によれば、施錠されている扉を筐体から引き剥がそうとすると筐体側係合部と扉側係合部とには、互いに引っ張り合う力が生じるが、筐体側係合部が受ける扉側係合部からの引張力は、筐体側当接部の後方の筐体側折曲補強部の折曲角部で受け止められ、扉側係合部が受ける筐体側係合部からの引張力は、扉側当接部の後方の扉側折曲補強部の折曲角部で受け止められる。
【００１６】
このように、筐体側係合部と扉側係合部とは、それぞれ前記引張力を折曲形成されることで強度が高められている折曲角部で受け止めることができるため、変形し難くなっている。
【００１７】
本発明の保管庫において、前記筐体側係合部は、前記筐体に固定され、前記扉側係合部は、前記筐体側係合部に対して相対移動可能となるように前記扉に設けられ、前記筐体側係合部は、前記筐体内に固定された筐体側固定板部に設けられ、前記折曲角部は、該筐体側固定板部から面方向に延設された延設部が折り曲げられることで構成されていてもよい。
【００１８】
かかる構成によれば、筐体側係合部が扉側係合部に引っ張られると、該筐体側係合部が筐体側固定板部によって筐体に引き留められる。従って、前記保管庫では、筐体側係合部が筐体から外れ難くなる。
【００１９】
本発明の保管庫において、前記筐体側係合部では、前記折曲角部を含む筐体側折曲補強部の先端部によって、前記扉側係合部に係合する筐体側当接部が構成されていてもよい。
【００２０】
かかる構成によれば、折曲形成されることで強度が高められている筐体側折曲補強部の折曲角部によって、筐体側当接部が扉側係合部から受ける引張力が受け止められるため、筐体側係合部が変形し難くなる。
【００２１】
本発明の保管庫において、前記扉側係合部は、前記筐体側係合部に係合する方向に向けて開放した開口が構成されるように折曲形成された扉側折曲補強部と、該開口を塞ぐようにして該扉側折曲補強部に設けられた扉側当接部であって、前記筐体側係合部に係合する扉側当接部とを備えていてもよい。
【００２２】
かかる構成によれば、折曲形成されることで強度が高められている扉側折曲補強部によって、扉側当接部が筐体側係合部から受ける引張力が受け止められるため、扉側係合部が変形し難くなる。
【００２３】
前記扉側当接部は、前記係合状態において前記筐体側係合部に対向する係合面を有し、該係合面は、前記扉側係合部の軸線方向及び前記筐体側係合部との係合方向のそれぞれに直交する方向において、基端部側から先端部側になるにつれて前記筐体側係合部に接近するように傾斜していてもよい。
【００２４】
かかる構成によれば、扉側当接部の係合面が前記軸線方向及び前記係合方向のそれぞれに直交する方向において、基端部側から先端部側になるにつれて前記筐体側係合部に接近するように傾斜しているため、筐体側係合部が係合面の基端部側に向かうように噛み合い、筐体側係合部と扉側係合部との係合状態が解除されてしまうことが防止される。
【００２５】
本発明の鍵構造は、外部に向けて開口する内部空間が形成された筐体と、該筐体に対して該開口を開閉可能に設けられた扉との施錠を行うための鍵構造であって、前記筐体内に取り付けられる筐体側係合部と、前記扉に取り付けられる扉側係合部とを有し、前記筐体側係合部と該扉側係合部とは、多角柱状であり且つ折曲形成により形成された折曲角部を角部に含むように構成されるとともに、互いの外面が係合した係合状態と該係合状態が解除された非係合状態とに切替可能である。
【００２６】
上記構成の鍵構造によれば、扉の開き動作をロックする筐体側係合部と扉側係合部のそれぞれが多角柱状体であり且つこの多角柱状体には折曲形成により形成された折曲角部が含まれるように構成されているため、多角柱状体の軸線方向に直交又は略直交する方向に変形し難くなっている。
【００２７】
従って、前記鍵構造は、施錠されている扉を筐体から引き剥がそうとしても、互いに係合している筐体側係合部と扉側係合部とが変形せず、扉が開かないようになっている。
【発明の効果】
【００２８】
以上のように、本発明の保管庫は、鍵構造の堅牢性が高く壊され難いという優れた効果を奏し得る。また、本発明の鍵構造は、鍵構造の堅牢性が高く壊され難いという優れた効果を奏し得る。
【図面の簡単な説明】
【００２９】
【図１】図１は、本発明の一実施形態に係る保管庫の正面図である。
【図２】図２は、同実施形態に係る保管庫の筐体の正面図である。
【図３】図３は、図２のＩＩＩ−ＩＩＩ線における断面図である。
【図４】図４は、同実施形態に係る保管庫のヒンジ構造における筐体側ヒンジ部の平面図である。
【図５】図５は、図４に示す筐体側ヒンジ部の正面図である。
【図６】図６は、同実施形態に係る保管庫のヒンジ構造における筐体側ヒンジ部の平面図である。
【図７】図７は、図６に示す筐体側ヒンジ部の正面図である。
【図８】図８は、同実施形態に係る保管庫のヒンジ構造における扉側ヒンジ部の平面図である。
【図９】図９は、図８に示す扉側ヒンジ部の正面図である。
【図１０】図１０は、同実施形態に係る保管庫のヒンジ構造における扉側ヒンジ部の平面図である。
【図１１】図１１は、図１０に示す扉側ヒンジ部の正面図である。
【図１２】図１２は、同実施形態に係る保管庫の扉の開閉状態の説明図であって、（ａ）は扉を閉じている状態の説明図であり、（ｂ）は扉を開いた状態の説明図である。
【図１３】図１３は、同実施形態に係る施錠構造の説明図であって、（ａ）は施錠構造のうち筐体側に設けられる構成の側面図であり、（ｂ）は（ａ）の平面図である。
【図１４】図１４は、同実施形態に係る施錠構造の説明図であって、施錠構造のうち扉に設けられる構成の部分拡大図である。
【図１５】図１５は、同実施形態に係る施錠構造の扉側固定部の正面図である。
【図１６】図１６は、同実施形態に係る施錠構造の扉側係合部及び扉側介設部の正面図である。
【図１７】図１７において、（ａ）は図１６の領域Ａを正面から見た拡大図であり、（ｂ）は図１６の領域Ａを側面から見た拡大図である。
【図１８】図１８は、同実施形態に係る施錠構造の説明図であって、施錠構造のうち扉に設けられる構成の平面図である。
【図１９】図１９は、同実施形態に係る施錠構造の説明図であって、筐体側係合部と扉側係合部との係合を解除した状態の説明図である。
【図２０】図２０は、同実施形態に係る施錠構造の説明図であって、（ａ）は筐体側係合部と扉側係合部との係合を解除した状態の説明図であり、（ｂ）は筐体側係合部と扉側係合部とを係合させた状態の説明図である。
【図２１】図２１は、同実施形態に係る施錠構造の説明図であって、施錠された状態の扉を施錠構造側でこじ開けようとしている状態の説明図である。
【発明を実施するための形態】
【００３０】
以下、本発明の一実施形態にかかる保管庫１について、添付図面を参照しつつ説明する。保管庫は、自動精算機や金庫、金庫室等のような、現金等の貴重品や、設備機器等の物品を安全に収蔵することを目的として構成されたものである。なお、本実施形態では、図１に示すように、保管庫１の一種である自動精算機について説明する。
【００３１】
保管庫１は、前面を開放した箱状の筐体２と、該筐体２の開口を開閉する扉３と、該扉３を筐体２に対して回転可能に連結するヒンジ構造４と、筐体２の開口を閉じた状態の該扉３を施錠するための鍵構造５とを備えている。
【００３２】
なお、本実施形態では、保管庫１の高さに対応する方向を縦方向、保管庫１の横幅に対応する方向を横幅方向、保管庫１の奥行きに対応する方向を奥行方向と称し、さらに、扉３が開閉する（回転する）方向を開閉方向と称して以下の説明を行う。
【００３３】
筐体２は、図３に示すように、前記物品を収容する収容空間Ｓが内部に形成された筐体本体部２０と、該収容空間Ｓに連通する開口（以下、出入口という）Ｏが形成された開口枠部２１とを有する。
【００３４】
開口枠部２１は、前記縦方向に沿って延びる一対の縦枠部２１０と、前記横幅方向に沿って延び且つ該一対の縦枠部２１０のそれぞれに連続する横枠部２１１とを有する（図２参照）。
【００３５】
一対の縦枠部２１０の外面には、前記奥行方向において、扉３（閉じ状態の扉３）の後方に位置する枠部奥面２１０ａと、枠部奥面２１０ａから前方（前記奥行方向における手前側）に向けて延出する枠部内横面２１０ｂと、該枠部内横面２１０ｂの先端から前記横幅方向において外方（開口枠部２１の外側）に向けて広がる枠部最前面２１０ｃと、該枠部最前面２１０ｃに連続する該枠部外横面２１０ｄとが含まれている。
【００３６】
枠部奥面２１０ａには、筐体本体部２０の内周面（すなわち、収容空間Ｓを確定する内面）２００が連続している。また、枠部奥面２１０ａは、閉じた状態の扉３（扉３の裏面である後述する扉裏面）と前記奥行方向で対向する面であり、枠部内横面２１０ｂは、閉じた状態の扉３（扉３の外側面である後述する扉外横面）と前記横幅方向で対面する面である。
【００３７】
枠部最前面２１０ｃは、筐体２の前面を構成しており、閉じた状態の扉３とは前記奥行き方向において重ならない面である。また、枠部外横面２１０ｄは、筐体２の外側面の一部を構成する面である。
【００３８】
さらに、縦枠部２１０では、枠部内横面２１０ｂと枠部最前面２１０ｃとが交差する部分により枠角部２１０ｅが構成されている。
【００３９】
本実施形態において、一対の縦枠部２１０のうちの一方の縦枠部２１０には、ヒンジ部を介して扉３が回転可能に連結されている。そして、一対の縦枠部２１０のうちの他方の縦枠部２１０には鍵構造５により扉３を施錠（固定）可能となっている。
【００４０】
前記一方の縦枠部２１０には、枠部奥面２１０ａから突出した（前記奥行方向における手前側に向けて突出した）当接リブ２１２が形成されている。この当接リブ２１２は、前記縦方向に沿って延びる片状に形成されており、前記横幅方向における一面が枠部内横面２１０ｂと対向する対向面（以下、対向面という）となっている。
【００４１】
扉３は、図１２（ａ）、及び図１２（ｂ）に示すように、正面視において矩形状の扉本体３０と、該扉本体３０の裏面に設けられる取付ベース部３１とを有する（図１８参照）。
【００４２】
扉本体３０には、外側に向く扉前面３００と、扉３が閉じている状態において筐体２の内側に向けて配置される扉裏面（前記奥行方向において扉前面３００の反対側に位置する面）３０１と、扉前面３００と扉裏面３０１とにつながる一対の外側面（以下、扉外横面という）３０２とが含まれている。
【００４３】
扉前面３００は、筐体２の外側で広がる面であり、扉裏面３０１は、扉３が閉じられた状態で、筐体２の内側で広がる面である。
【００４４】
また、扉本体３０では、扉前面３００と扉外横面３０２とが交差して扉外角部３０３が構成され、扉裏面３０１と扉外横面３０２とが交差して扉内角部３０４が構成されている。扉３が閉じている状態において、扉外角部３０３は、前記奥行方向において枠角部２１０ｅよりも手前側に配置され、扉内角部３０４は、前記奥行方向において枠角部２１０ｅよりも奥側に配置される。
【００４５】
さらに、扉本体３０では、一方の扉外横面３０２側（以下、基端側という）がヒンジ構造４によって前記一方の縦枠部２１０に対して回転可能に連結され、扉本体３０の他方の扉外横面３０２側（以下、先端側という）が鍵構造５によって前記他方の縦枠部２１０に施錠（固定）可能となっている。
【００４６】
なお、扉３が閉じている状態において、扉外横面３０２（扉本体３０の基端側の扉外横面３０２）と枠部内横面２１０ｂとの間、及び扉裏面３０１と枠部奥面２１０ａとの間にはそれぞれ隙間が形成されている。また、扉外横面３０２と枠部内横面２１０ｂとの間の隙間は、前記奥行方向における手前側に向けて開放されている。
【００４７】
取付ベース部３１は、図１８に示すように、扉本体３０の扉裏面３０１に設けられる背面ベース部３１０と、扉本体３０の扉外横面３０２の内側に設けられる側面ベース部３１１と有する。
【００４８】
背面ベース部３１０には、扉裏面３０１に固定される固定部３１０ａと、該固定部３１０ａに連続し且つ前記奥行方向で扉裏面３０１に対向配置されるベース板部３１０ｂとを有する。ベース板部３１０ｂは、前記奥行方向において扉裏面３０１から離れた位置に配置されている。
【００４９】
側面ベース部３１１は、扉裏面３０１に突設された突設板部３１１ａと、該突設板部３１１ａと扉本体３０における扉３横面の裏面とにつながる連設部３１１ｂとを有する。なお、本実施形態に係る扉３では、扉本体３０と側面ベース部３１１とが重なっている領域においては、側面ベース部３１１の一面が扉本体３０の扉裏面３０１として機能する。
【００５０】
突設板部３１１ａは、扉裏面３０１から前記奥行方向における奥側に向けて突出している。また、突設板部３１１ａは、前記横幅方向において、扉３内横面よりもさらに内側に配置されている。そのため、突設板部３１１ａは、前記横幅方向において扉３内横面との間に間隔をあけた位置に配置されている。さらに、本実施形態に係る突設板部３１１ａには、前記横幅方向において貫通するスリット３１１ｃが形成されている。スリット３１１ｃは、前記縦方向に沿って延びるように形成された細長い隙間である。
【００５１】
連設部３１１ｂは、突設板部３１１ａの先端に連続している。そして、連設部３１１ｂは、前記奥行方向において扉裏面３０１との間に間隔をあけて配置されている。
【００５２】
ヒンジ構造４は、図４に示すように、回転軸４０と、該回転軸４０と筐体２とに連結される筐体側ヒンジ部４１と、扉３を該回転軸４０に対して回転可能に連結する扉側ヒンジ部４２とを有する。
【００５３】
回転軸４０は、軸線方向が前記縦方向と対応するように配置されている（図３参照）。なお、本実施形態に係る回転軸４０は、筐体２本体の枠角部２１０ｅと扉外角部３０３とに沿わせて配置されており、より具体的には、筐体本体部２０の枠角部２１０ｅと扉外横面３０２との間に配置されている。
【００５４】
筐体側ヒンジ部４１と扉側ヒンジ部４２とは、この回転軸４０の中心線を中心という周方向において相互に回転可能である。そのため、扉３も、回転軸４０の中心線を中心という周方向で回転可能である。なお、上述の開閉方向は、回転軸４０の中心線を中心という周方向と対応している。
【００５５】
筐体側ヒンジ部４１は、図４、及び図５に示すように、回転軸４０が挿通される筐体側挿通部４１０と（図５参照）、筐体側挿通部４１０から回転軸４０の軸線方向に対して直交する方向に向けて延出する第一筐体取付片４１１と、該第一筐体取付片４１１の先端に折曲延設された第二筐体取付片４１２とを有する。
【００５６】
筐体側ヒンジ部４１では、複数の筐体側挿通部４１０が前記縦方向で間隔をあけて並んでいる（図５参照）。
【００５７】
第一筐体取付片４１１は、前記縦方向に沿って延びた形状であり、枠部内横面２１０ｂにあてがわれている。また、第一筐体取付片４１１には、長手方向に間隔をあけて複数の側方固定孔４１１ａが形成されており、該側方固定孔４１１ａに挿通した締結部材（例えば、雄ねじやボルト等）Ｂを枠部内横面２１０ｂに螺合させることによって、第一筐体取付片４１１が該枠部内横面２１０ｂに当接した状態で固定されている（図１２（ｂ）参照）。
【００５８】
第二筐体取付片４１２は、図６、及び図７に示すように、前記縦方向に沿って延びた形状であり、枠部奥面２１０ａにあてがわれている。また、第二筐体取付片４１２には、長手方向に間隔をあけて複数の奥側固定孔４１２ａが形成されており、該奥側固定孔４１２ａに挿通した締結部材（例えば、雄ねじやボルト等）Ｂを枠部奥面２１０ａに螺合させることによって、第二筐体取付片４１２が該枠部奥面２１０ａに当接した状態で固定されている（図１２（ｂ）参照）。
【００５９】
さらに、第二筐体取付片４１２の先端は、当接面に対して前記横幅方向において当接している。
【００６０】
扉側ヒンジ部４２は、図８、及び図９に示すように、回転軸４０が挿通される扉側挿通部４２０と（図９参照）、扉側挿通部４２０から回転軸４０の軸線方向に対して直交する方向に向けて延出する第一扉取付片４２１と、該第一扉取付片４２１の先端に折曲延設された第二扉取付片４２２とを有する。
【００６１】
扉側ヒンジ部４２では、複数の扉側挿通部４２０が前記縦方向で間隔をあけて並んでいる（図９参照）。
【００６２】
第一扉取付片４２１は、前記縦方向に沿って延びた形状であり、枠部内横面２１０ｂにあてがわれている。また、第一扉取付片４２１には、長手方向に間隔をあけて複数の側方取付孔４２１ａが形成されており、該側方取付孔４２１ａに挿通した締結部材（例えば、雄ねじやボルト等）Ｂを枠部内横面２１０ｂに螺合させることによって、第一扉取付片４２１が該枠部内横面２１０ｂに当接した状態で固定されている（図１２（ｂ）参照）。
【００６３】
第二扉取付片４２２は、図１０、及び図１１に示すように、前記縦方向に沿って延びた形状であり、枠部奥面２１０ａにあてがわれている。また、第二扉取付片４２２には、長手方向に間隔をあけて複数の奥側取付孔４２２ａが形成されており、該奥側取付孔４２２ａに挿通した締結部材（例えば、雄ねじやボルト等）Ｂを枠部奥面２１０ａに螺合させることによって、第二扉取付片４２２が該枠部奥面２１０ａに当接した状態で固定されている（図１２（ｂ）参照）。
【００６４】
本実施形態に係るヒンジ構造４は、上述のように、回転軸４０が筐体本体部２０の枠角部２１０ｅと扉外横面３０２との間に配置されているため、図１２（ａ）に示すように、該回転軸４０に連結されている筐体側挿通部４１０と扉側挿通部４２０も、筐体本体部２０の枠角部２１０ｅと扉外横面３０２との間に配置されている。そして、筐体側挿通部４１０と扉側挿通部４２０とは、筐体本体部２０の枠部内横面２１０ｂと扉外横面３０２との間の隙間を塞ぐように配置されている。
【００６５】
鍵構造５は、図１８に示すように、筐体２に固定される筐体側固定板部５０と、該筐体側固定板部５０に設けられる筐体側係合部５１と、扉３に取り付けられる扉側固定部５２と、扉側固定部５２に対して固定される扉側係合部５３と、扉側固定部５２と扉側係合部５３との間に介設される扉側介設部５４とを有する。
【００６６】
筐体側固定板部５０は、図１３（ａ）、及び図１３（ｂ）に示すように、平板状であり、筐体２の内面（筐体本体部２０の内側面２００）に固定される基端部と、該基端部から延出する先端部であって筐体側係合部５１に連続する先端部とを有する。
【００６７】
筐体側固定板部５０の先端部は、基端部に対して傾斜している。より具体的に説明すると、筐体側固定板部５０の先端部は、先端側（基端部から離れるにつれて）後述する延設部を折り曲げている方向（前記横幅方向における筐体２の内側）に向かうように傾斜している。
【００６８】
筐体側固定板部５０には、複数（本実施形態では四つ）の貫通孔５００が形成されており、例えば、この貫通孔５００に挿通した螺子やボルト等の締結部材によって筐体側固定板部５０が筐体本体部２０の内側面に固定される。さらに、筐体側固定板部５０は、自身よりも筐体側係合部５１が前記奥行方向において手前側に配置されるようにして筐体本体部２０の内側面に固定される。
【００６９】
筐体側係合部５１は、多角柱状であり且つ折曲形成により形成された折曲角部（以下、筐体側折曲角部という）５１０を角部に含むように構成されている。
【００７０】
本実施形態に係る筐体側係合部５１は、筐体側固定板部５０の外周縁端（筐体側固定板部５０の先端縁端）に延設されるとともに（筐体２内から前記奥行方向において手前側に向けて延出するとともに）、筐体側固定板部５０から延出する方向と反対側に向けて開口する凹部が形成されるように折り曲げられた延設部５１１と、該延設部５１１の凹部を画定する内面に接合された筐体側接合補強部５１２とを有する。
【００７１】
延設部５１１は、基端と先端との間の二か所において、筐体側固定板部５０から延出する方向と直交する方向に折り曲げられている。そのため、延設部５１１の基端と先端との間には、二つの前記筐体側折曲角部５１０が形成されており、該筐体側折曲角部５１０は、それぞれ延設部５１１の縦幅方向における全長に亘って真っ直ぐに延びている。
【００７２】
筐体側接合補強部５１２は、延設部５１１の凹部を塞ぐことによって、延設部５１１の凹部を画定する内面と協同して閉領域を画定するように構成されており、これにより、筐体側係合部５１が多角柱状体になっている。
【００７３】
より具体的に説明すると、延設部５１１には、筐体側固定板部５０の先端縁端から延出する筐体側連設部５１３と、該筐体側連設部５１３の先端に対して折曲延設された筐体側折曲補強部５１４と、該筐体側折曲補強部５１４の先端に形成された筐体側当接部５１５とが含まれている。
【００７４】
筐体側折曲補強部５１４は、筐体側連設部５１３が筐体側固定板部５０から延出する方向とは反対方向に向けて開口する凹部を画定するように折れ曲がった形状となっている。そのため、筐体側折曲補強部５１４の先端部は、筐体側連設部５１３の前記延出方向とは反対方向に向かって延びている。
【００７５】
また、本実施形態に係る筐体側折曲補強部５１４には、二つの前記扉側折曲角部５３０が形成されており、扉側折曲角部５３０は、それぞれ筐体側折曲補強部５１４の縦幅方向における全長に亘って真っ直ぐに延びている。
【００７６】
また、二つの筐体側折曲角部５１０は、それぞれ直角又はほぼ直角に屈曲しているため、筐体側折曲補強部５１４の基端部と先端部とは、互いの間に間隔をあけて平行な姿勢になっている。
【００７７】
扉側固定部５２は、図２０（ａ）、図２０（ｂ）に示すように、扉側係合部５３を前記縦方向で往復動可能となるようにして保持している。そのため、本実施形態では、扉側係合部５３が筐体側係合部５１に対して相対移動可能となるように構成されている。
【００７８】
扉側固定部５２は、図１５に示すように、長尺である。また、扉側固定部５２は、長手方向に直交する方向における両端が扉３の裏面に固定され、該両端の間（長手方向に直交する方向における中央部）は、長手方向の全長に亘って扉３の裏面から離間した位置に配置されるように構成されている。
【００７９】
本実施形態に係る扉側固定部５２は、扉裏面３０１に対して該扉裏面３０１の面直交方向に延びるように設けられる延出板部５２０と、該延出板部５２０の先端延出し且つ該先端に対して屈曲するように折れ曲がった延出受部５２１と、該延出受部５２１の先端からさらに延出し且つ該先端に対して屈曲するように折れ曲がった延出固定部５２２とを有する。
【００８０】
これにより、扉側固定部５２では、延出板部５２０と、該延出受部５２１と、該延出固定部５２２とによって、扉側係合部５３をスライド可能に配置する配置用凹部（採番しない）が形成されている。
【００８１】
延出板部５２０は、扉本体３０の先端側で扉裏面３０１に設けられている。より具体的に説明すると、延出板部５２０は、扉本体３０の先端側に対応する位置で背面ベース部３１０を介して扉本体３０（扉裏面３０１）に固定されている。そして、延出受部５２１には、長手方向に間隔をあけて複数の挿通孔５２１ａが形成されている。
【００８２】
扉側係合部５３は、前記縦方向に間隔をあけて並ぶように扉側固定部５２に複数設けられている（図１６参照）。
【００８３】
本実施形態に係る扉側係合部５３は、図１７（ａ）、図１７（ｂ）及び図１８に示すように、多角柱状であり且つ折曲形成により形成された折曲角部（以下、扉側折曲角部という）５３０を角部に含むように構成されている。
【００８４】
また、扉側係合部５３は、前記縦方向に沿って延びる補助板部５３１及び当板部５３２とで構成されており、該補助板部５３１と当板部５３２とは、それぞれ長手方向に直交する方向に折り曲げられた形状となっている。
【００８５】
扉側係合部５３では、当板部５３２で補助板部５３１の前面（前記奥行方向における前面）を覆うようにして当板部５３２と補助板部５３１とを組み合わせることによって、一つの多角柱状体を構成している。
【００８６】
扉側係合部５３における扉側折曲角部５３０は、補助板部５３１の折曲部分によって構成されている。
【００８７】
扉側折曲角部５３０の折り曲げ角度は、直角又は略直角となっている。そして、扉側折曲角部５３０では、扉側折曲角部５３０を境とする一方側の片部（以下、補助側接合片という）５３１ａが扉側介設部５４を介して延出受部５２１の前面に固定されている。そのため、補助板部５３１では、扉側折曲角部５３０を境とする他方側の片部（以下、支持片という）５３１ｂが補助側接合片５３１ａから前記奥行方向における手前側に向けて延出した状態になっている。
【００８８】
当板部５３２は、折曲げ角度が鈍角となっている。また、当板部５３２において、折曲部分を境とする一方側の片（以下、当接側接合片という）５３２ａは、補助側接合片５３１ａに接合されるとともに、支持片５３１ｂに対して間隔をあけた位置で対向している。また、当接側接合片５３２ａは、扉側介設部５４を介して延出板部５２０の側面に対して固定されている。
【００８９】
そのため、当板部５３２のうちの折曲部分を境とする他方側の片（以下、受片という）５３２ｂは、当接側接合片５３２ａの先端から支持片５３１ｂの先端の前方に向かって延出しており、扉３が閉じられた状態においては、先端側から基端側になるにつれて前記奥行方向における奥側に向かって傾斜するように構成されている。
【００９０】
また、受片５３２ｂは、補助側接合片５３１ａ及び支持片５３１ｂの前面を覆うようにして延出しているため、筐体側係合部５１と扉側係合部５３とが係合した際に（引っ張り合った際に）補助側接合片５３１ａと支持片５３１ｂとによって延出受部５２１に対して支持されるように構成されている
【００９１】
本実施形態に係る扉側係合部５３では、補助側接合片５３１ａ、支持片５３１ｂ、当接側接合片５３２ａによって前記奥行方向において手前側に向けて開口する凹部が画定されており、この凹部を受片５３２ｂで塞ぐことによって、補助側接合片５３１ａ、支持片５３１ｂ、当接側接合片５３２ａ、受片５３２ｂで一つの閉領域を画定するように構成されている。これにより、扉側係合部５３は、多角柱状体になっている。
【００９２】
なお、本実施形態に係る扉側係合部５３では、受片５３２ｂが、筐体側係合部５１に係合する扉側当接部を構成しており、補助側接合片５３１ａ、支持片５３１ｂ、当接側接合片５３２ａが、該扉側当接部に設けられ且つ扉側折曲角部５３０を含む扉側折曲補強部を構成している。
【００９３】
扉側介設部５４は、図１７（ａ）、及び図１７（ｂ）に示すように、延出板部５２０の側面（前記横幅方向において外側に位置する側面）と延出受部５２１の前面とに沿うように屈曲した形状の介設保持部５４０と、介設保持部５４０から前記横幅方向において外側に向けて延出するフック部５４１とを有する。
【００９４】
フック部５４１は、前記奥行方向において扉側係合部５３の手前側に位置する前壁部５４１ａと、該前壁部５４１ａから前記横幅方向において外側に延出する引掛部５４１ｂとを有する。そして、引掛部５４１ｂは、突設板部３１１ａのスリット３１１ｃ内に挿通されており、扉側介設部５４（及び扉側係合部５３）の上下動に伴って、突設板部３１１ａに掛止された掛止状態と、突設板部３１１ａに対する掛止が解除された非掛止状態とに切り替わるように構成されている。
【００９５】
なお、本実施形態に係る鍵構造５では、扉側固定部５２に対して扉側係合部５３及び扉側介設部５４を前記縦方向に往復動（スライド）可能に構成されており、扉側係合部５３と扉側介設部５４とをスライドさせるための機構を接続するスライド機構接続部５５が扉側介設部５４に形成されている。このスライド機構接続部５５は、例えば、キーシリンダー等に対して駆動的に接続されていればよい。
【００９６】
また、本実施形態では、図２０（ａ）に示すように、扉側係合部５３及び扉側介設部５４が上方に移動している状態においては、筐体側係合部５１と扉側係合部５３とが互いに係合していない非係合状態となり、引掛部５４１ｂと突設板部３１１ａとが前記非掛止状態となっているため、扉３は、回転動作が許容された状態、すなわち、開閉自在な状態となる。
【００９７】
一方、図２０（ｂ）に示すように、扉側係合部５３及び扉側介設部５４が下方に移動した状態においては、筐体側係合部５１と扉側係合部５３とが互い係合している係合状態となり、引掛部５４１ｂと突設板部３１１ａとが前記掛止状態となっているため、扉３は、回転動作が規制された状態、すなわち、開閉不能な状態となる。
【００９８】
このように、鍵構造５は、扉側係合部５３及び扉側介設部５４の上下動に伴い、筐体側係合部５１と扉側係合部５３とを係合状態又は非係合状態に切替可能であり、また、引掛部５４１ｂと突設板部３１１ａとを掛止状態又は非掛止状態に切替可能である。
【００９９】
本実施形態に係る保管庫１の構成は、以上の通りである。本実施形態に係る保管庫１は、扉の開き動作をロックする筐体側係合部５１と扉側係合部５３のそれぞれは、多角柱状体であり且つこの多角柱状体には折曲形成により形成された折曲角部（筐体側折曲角部５１０、扉側折曲角部５３０）が含まれているため、多角柱状体の軸線方向に直交又は略直交する方向において変形し難くなっている。
【０１００】
また、筐体側係合部５１では、折曲形成されることで強度が高められている筐体側折曲角部５１０が筐体側折曲補強部５１４の縦幅方向における全長に亘って連続し、扉側係合部５３では、折曲形成されることで強度が高められている扉側折曲角部５３０が扉側折曲補強部（当接側接合片５３２ａ）の縦幅方向における全長に亘って連続している。
【０１０１】
そのため、例えば、図２１に示すように、前記他方の縦枠部２１０と、扉本体３０の先端側の扉外横面３０２との間からバールが挿し込んで扉本体３０をこじ開けようとすると、筐体側係合部５１と扉側係合部５３とが互いに引っ張り合う状態になっても、筐体側係合部５１と扉側係合部５３とが変形しないため、扉３が開かれてしまうことを防止できる。
【０１０２】
さらに、筐体側折曲補強部５１４は、前記奥行方向における奥側に向けて開放する開口が形成されるように折り曲げ形成されているが、この開口を塞ぐようにして筐体側接合補強部５１２が筐体側折曲補強部５１４に接合されているため、筐体側係合部５１と扉側係合部５３とが引っ張り合った状態になっても、筐体側折曲補強部５１４の変形（外側に広がるような変形）が防止される。
【０１０３】
また、扉側係合部５３においても、補助側接合片５３１ａ、支持片５３１ｂ、当接側接合片５３２ａによって画定されている開口が受片５３２ｂによって塞がれた状態となっているため、筐体側係合部５１と扉側係合部５３とが引っ張り合った状態になっても、扉側折曲補強部を構成する補助側接合片５３１ａと支持片５３１ｂの変形（外側に広がるような変形）が防止される。
【０１０４】
また、施錠されている扉３を筐体２から引き剥がそうとすると筐体側係合部５１と扉側係合部５３とには、互いに引っ張り合う力が生じるが、筐体側係合部５１が受ける扉側係合部５３からの引張力は、筐体側当接部５１５の後方の筐体側折曲角部５１０で受け止められ、扉側係合部５３が受ける筐体側係合部５１からの引張力は、扉側当接部の後方の扉側折曲角部５３０で受け止められる。
【０１０５】
このように、筐体側係合部５１と扉側係合部５３とは、それぞれ折曲形成されることで強度が高められている筐体側折曲角部５１０、扉側折曲角部５３０で前記引張力を受け止めることができるため、変形し難くなっている。
【０１０６】
さらに、鍵構造５において、筐体側係合部５１は、扉側係合部５３から引っ張られる位置（扉側係合部５３との当接位置）よりも前記奥行方向における奥側で筐体本体部２０の内面（内側面）２００に固定されている。
【０１０７】
そのため、筐体側係合部５１は、扉側係合部５３によって手前側に引っ張られた際に、該筐体側係合部５１が筐体側固定板部５０によって筐体２に引き留められる。従って、保管庫１では、筐体側係合部５１が筐体２から外れ難くなる。
【０１０８】
さらに、保管庫１では、受片５３２ｂの前面（扉側当接部の係合面）が基端側から先端側になるにつれて前記奥行方向における手前側に向かうように傾斜しているため、筐体側係合部５１と扉側係合部５３とが引っ張り合った状態になった際に、筐体側係合部５１が扉側当接部（受片５３２ｂ）の基端側に向かうように噛み合い、これにより、筐体側係合部５１と扉側係合部５３との係合状態が解除されてしまうことが防止される。
【０１０９】
以上のように、本実施形態に係る保管庫１は、鍵構造５を堅牢なものとすることができるという優れた効果を奏し得る。
【０１１０】
また、本実施形態に係る保管庫１によれば、開口枠部２１内には扉３が内嵌されており、開口枠部２１の枠部内横面と扉３の外側面との間、及び開口枠部２１の枠部奥面２１０ａと扉３の裏面との間にヒンジ構造４の筐体側ヒンジ部４１と扉側ヒンジ部４２とが配置されているため、開口枠部２１及び扉３に対するヒンジ構造４の取付箇所が開口枠部２１と扉３との間に隠れている。
【０１１１】
このように、保管庫１では、開口枠部２１及び扉３に対するヒンジ構造４の取付箇所が外部に露出しないため、ヒンジ構造４が開口枠部２１や扉３から外され難くなる。
【０１１２】
さらに、本実施形態に係る保管庫１では、ヒンジ構造４の回転軸４０が枠角部２１０ｅと扉外横面３０２との間に配置されているため、該回転軸４０が挿通されている筐体側挿通部４１０及び扉側挿通部４２０も、枠角部２１０ｅと扉外横面３０２との間に配置されている。
【０１１３】
これにより、枠部内横面２１０ｂと第一筐体取付片４１１との境目が筐体側挿通部４１０に覆われ、扉外横面３０２と第二筐体取付片４１２との境目が扉側挿通部４２０に覆われるため、枠部内横面２１０ｂと第一筐体取付片４１１との間や、扉外横面３０２と第二筐体取付片４１２との間にアクセスし難くすることができる。
【０１１４】
従って、本実施形態に係る保管庫１では、第一筐体取付片４１１が枠部内横面２１０ｂから外され難くなり、また、第二筐体取付片４１２が扉外横面３０２から外され難くなる。
【０１１５】
さらに、筐体側ヒンジ部４１と扉側ヒンジ部４２とは、扉本体３０や、開口枠部２１の縦枠部２１０によって前記横幅方向や前記奥行方向における動きが制限されるため、前記横幅方向においても、前記奥行方向においても、開口枠部２１や、扉本体３０から外れ難くなっている。
【０１１６】
例えば、枠角部２１０ｅと、扉本体３０の基端側の扉外横面３０２との間からバールを挿し込んで扉本体３０をこじ開けようとすると、ヒンジ構造４の扉側ヒンジ部４２に外力が加わるが、該扉側ヒンジ部４２は、第一扉取付片４２１が扉本体３０の扉外横面３０２にあてがわれ、第二扉取付片４２２が扉本体３０の扉裏面３０１にあてがわれている、すなわち、第一扉取付片４２１と第二扉取付片４２２とが扉内角部３０４に沿うように配置されているため、扉側ヒンジ部４２が前記奥行方向の手前側に動こうとすると、該扉側ヒンジ部４２の動きが扉本体３０によって制限される。
【０１１７】
また、扉側ヒンジ部４２が前記横幅方向において、開口枠部２１の中央部側に動こうとした場合も、該扉側ヒンジ部４２の動きが扉本体３０によって制限され、さらに、該扉本体３０の動きが前記他方の縦枠部２１０によって制限される。
【０１１８】
そして、扉側ヒンジ部４２が前記横幅方向において、開口枠部２１の外側に動こうとした場合は、前記一方の縦枠部２１０によって該扉側ヒンジ部４２の動きが制限される。
【０１１９】
このように、本実施形態に係る保管庫１では、前記横幅方向や前記奥行方向に動こうとする扉側ヒンジ部４２が扉本体３０や開口枠部２１の縦枠部２１０で受け止められるため、該扉側ヒンジ部４２が扉本体３０から外れ難くなっている。
【０１２０】
さらに、本実施形態に係る扉側ヒンジ部４２では、第一扉取付片４２１が側方取付孔４２１ａに挿通された締結部材Ｂにより扉本体３０に固定され、第二扉取付片４２２が奥側取付孔４２２ａに挿通された締結部材Ｂにより扉本体３０の扉裏面３０１に固定されている。
【０１２１】
そのため、扉側ヒンジ部４２には、側方取付孔４２１ａに挿通されている締結部材Ｂによる締結力と、奥側取付孔４２２ａに挿通されている締結部材Ｂによる締結力、すなわち、前記奥行方向と前記横幅方向の二方向における締結力が加わるため、扉本体３０に対して動き難くなっている。
【０１２２】
また、扉側ヒンジ部４２が前記横幅方向で動こうとすると、該扉側ヒンジ部４２が奥側取付孔４２２ａに挿通されている締結部材Ｂに干渉し、扉側ヒンジ部４２が前記奥行方向での動こうとすると、該扉側ヒンジ部４２が側方取付孔４２１ａに挿通されている締結部材Ｂに干渉するため、扉側ヒンジ部４２の前記横幅方向及び前記奥行方向での動きが制限される。
【０１２３】
これにより、本実施形態に係る保管庫１では、扉側ヒンジ部４２が扉本体３０から外れ難くなっている。
【０１２４】
筐体側ヒンジ部４１も、前記横幅方向及び前記奥行方向の二方向において開口枠部２１にあてがわれているため、該二方向での動きが制限される。
【０１２５】
より具体的に説明すると、筐体側ヒンジ部４１では、第一筐体取付片４１１が枠部内横面２１０ｂにあてがわれ、第二筐体取付片４１２が枠部奥面２１０ａにあてがわれているため、扉側ヒンジ部４２が前記奥行方向の奥側への動きや、前記横幅方向における外側（開口枠部２１の外側）への動きが開口枠部２１によって制限されるため、筐体側ヒンジ部４１が開口枠部２１から外れ難くなっている。
【０１２６】
さらに、本実施形態に係る筐体側ヒンジ部４１では、第一筐体取付片４１１が側方固定孔４１１ａに挿通された締結部材Ｂにより枠部内横面２１０ｂに固定され、第二筐体取付片４１２が奥側固定孔４１２ａに挿通された締結部材Ｂにより枠部奥面２１０ａに固定されている。
【０１２７】
そのため、筐体側ヒンジ部４１には、側方固定孔４１１ａに挿通されている締結部材Ｂによる締結力と、奥側固定孔４１２ａに挿通されている締結部材Ｂによる締結力、すなわち、前記奥行方向と前記横幅方向の二方向における締結力が加わるため、開口枠部２１に対して動き難くなっている。
【０１２８】
また、筐体側ヒンジ部４１が前記横幅方向で動こうとすると、該筐体側ヒンジ部４１が奥側固定孔４１２ａに挿通されている締結部材Ｂに干渉し、筐体側ヒンジ部４１が前記奥行方向での動こうとすると、該筐体側ヒンジ部４１が側方固定孔４１１ａに挿通されている締結部材Ｂに干渉するため、筐体側ヒンジ部４１の前記横幅方向及び前記奥行方向での動きが制限される。
【０１２９】
これにより、本実施形態に係る保管庫１では、筐体側ヒンジ部４１が開口枠部２１から外れ難くなっている。
【０１３０】
以上のように、保管庫１は、ヒンジ構造４を堅牢なものとすることができるという優れた効果を奏し得る。
【０１３１】
なお、本発明の保管庫は、上記一実施形態に限定されるものではなく、本発明の要旨を逸脱しない範囲において種々変更を行うことは勿論である。
【０１３２】
上記実施形態において、自動精算機を一例に挙げて保管庫１の説明を行ったが、例えば、保管庫１は、現金等の貴重品や、設備機器等の物品を安全に収蔵できることを目的とするものであれば、自動販売機や、金庫、金庫室等であってもよい。
【０１３３】
上記実施形態において、前記一方の縦枠部２１０では、第二筐体取付片４１２の先端に当接させて筐体２側ヒンジ部の前記横幅方向における動きを制限するための当接面が枠部奥面２１０ａから突出した当接リブ２１２によって構成されていたが、この構成に限定されない。当接面は、枠部奥面２１０ａに固定され且つ前記横幅方向において第二筐体取付片４１２の先端に当接できれば、例えば、枠部奥面２１０ａの内側を段状にすることで構成されていてもよい。
【０１３４】
上記実施形態では、扉３が閉じている状態においては、扉外角部３０３が前記奥行方向において枠角部２１０ｅよりも手前側に配置されるように構成されていたが、この構成に限定されない。
【０１３５】
例えば、扉外角部３０３は、扉３が閉じている状態において、枠角部２１０ｅと前記奥行方向で対応する位置に配置されるようになっていてもよい。すなわち、扉外角部３０３は、枠角部２１０ｅと前記横幅方向において横並びに配置されるようになっていてもよい。
【０１３６】
この場合、筐体側挿通部４１０と扉側挿通部４２０とを枠角部２１０ｅ及び扉外角部３０３のそれぞれに隣接する位置に配置してもよい。
【０１３７】
上記実施形態では、筐体側係合部５１に対して扉側係合部５３を相対移動させるように構成されていたが、この構成に限定されない。例えば、扉側係合部５３に対して筐体側係合部５１が相対移動するように構成されていてもよい。
【０１３８】
上記実施形態では、扉側係合部５３が前記縦方向において往復動させるように構成されていたが、この構成に限定されない。例えば、扉側係合部５３が前記横幅方向において往復動するように構成されていてもよい。
【０１３９】
また、筐体側係合部５１が扉側係合部５３に対して相対移動するように構成する場合は、筐体側係合部５１を前記横幅方向において往復動させるように構成してもよい。
【符号の説明】
【０１４０】
１…保管庫、２…筐体、３…扉、４…ヒンジ構造、５…鍵構造、２０…筐体本体部、２１…開口枠部、３０…扉本体、３１…取付ベース部、４０…回転軸、４１…筐体側ヒンジ部、４２…扉側ヒンジ部、５０…筐体側固定板部、５１…筐体側係合部、５２…扉側固定部、５３…扉側係合部、５４…扉側介設部、５５…スライド機構接続部、２１０…縦枠部、２１０ａ…枠部奥面、２１０ｂ…枠部内横面、２１０ｃ…枠部最前面、２１０ｄ…枠部外横面、２１０ｅ…枠角部、２１１…横枠部、２１２…当接リブ、３００…扉前面、３０１…扉裏面、３０２…扉外横面、３０３…扉外角部、３０４…扉内角部、３１０…背面ベース部、３１０ａ…固定部、３１０ｂ…ベース板部、３１１…側面ベース部、３１１ａ…突設板部、３１１ｂ…連設部、３１１ｃ…スリット、４１０…筐体側挿通部、４１１…第一筐体取付片、４１１ａ…側方固定孔、４１２…第二筐体取付片、４１２ａ…奥側固定孔、４２０…扉側挿通部、４２１…第一扉取付片、４２１ａ…側方取付孔、４２２…第二扉取付片、４２２ａ…奥側取付孔、５００…貫通孔、５１０…筐体側折曲角部、５１１…延設部、５１２…筐体側接合補強部、５１３…筐体側連設部、５１４…筐体側折曲補強部、５１５…筐体側当接部、５２０…延出板部、５２１…延出受部、５２１ａ…挿通孔、５２２…延出固定部、５３０…扉側折曲角部、５３１…補助板部、５３１ａ…補助側接合片、５３１ｂ…支持片、５３２…当板部、５３２ａ…当接側接合片、５３２ｂ…受片、５４０…介設保持部、５４１…フック部、５４１ａ…前壁部、５４１ｂ…引掛部、Ｂ…締結部材、Ｓ…収容空間
【図１】
2018105090.tif 000003
【図２】
2018105090.tif 000004
【図３】
2018105090.tif 000005
【図４】
2018105090.tif 000006
【図５】
2018105090.tif 000007
【図６】
2018105090.tif 000008
【図７】
2018105090.tif 000009
【図８】
2018105090.tif 000010
【図９】
2018105090.tif 000011
【図１０】
2018105090.tif 000012
【図１１】
2018105090.tif 000013
【図１２】
2018105090.tif 000014
【図１３】
2018105090.tif 000015
【図１４】
2018105090.tif 000016
【図１５】
2018105090.tif 000017
【図１６】
2018105090.tif 000018
【図１７】
2018105090.tif 000019
【図１８】
2018105090.tif 000020
【図１９】
2018105090.tif 000021
【図２０】
2018105090.tif 000022
【図２１】
2018105090.tif 000023